(57)【要約】【課題】携帯端末に特別の機能を付加することなく，容易に所有者に紛失携帯端末の所在を知らせることを可能とする，通信システムにおける携帯端末の所在確認サービスシステムを提供する。【解決手段】それぞれネットワーク管理装置と，加入者情報管理サーバーとを有する，複数の電話網間が接続された通信システムにおける携帯端末の所在確認サービスシステムにおいて，前記複数の電話網のネットワーク管理装置に，受信電話番号により転送先電話網を判定する第1の翻訳テーブルと，自電話網の加入者の電話番号により紛失電話番号情報の登録を判定する第2の翻訳テーブル備え，更に，紛失携帯端末の加入する電話網の加入者情報管理サーバーに前記第２の翻訳テーブルにより紛失電話番号情報の登録を判定された紛失携帯端末の電話番号に対応して連絡先が登録され，前記紛失携帯端末と異なる電話端末から前記紛失携帯端末宛に呼が発生した際に，前記紛失携帯端末の加入する電話網の加入者情報管理サーバーを検索して，前記連絡先に前記呼を転送する。【選択図】図１
2006074437.tif 000002
【特許請求の範囲】
【請求項１】
それぞれネットワーク管理装置と，加入者情報管理サーバーとを有する，複数の電話網間が接続された通信システムにおける携帯端末の所在確認サービスシステムにおいて，
前記複数の電話網のネットワーク管理装置に，受信電話番号により転送先電話網を判定する第1の翻訳テーブルと，自電話網の加入者の電話番号により紛失電話番号情報の登録を判定する第2の翻訳テーブル備え，更に，
紛失携帯端末の加入する電話網の加入者情報管理サーバーに前記第２の翻訳テーブルにより紛失電話番号情報の登録を判定された紛失携帯端末の電話番号に対応して連絡先が登録され，
前記紛失携帯端末と異なる電話端末から前記紛失携帯端末宛に呼が発生した際に，前記紛失携帯端末の加入する電話網の加入者情報管理サーバーを検索して，前記連絡先に前記呼を転送する
ことを特徴とする通信システムにおける携帯端末の所在確認サービスシステム。
【請求項２】
それぞれネットワーク管理装置と，加入者情報管理サーバーとを有する，複数の電話網間が接続された通信システムにおける携帯端末の所在確認サービスシステムにおいて，
前記複数の電話網のネットワーク管理装置に，受信電話番号により転送先電話網を判定する第1の翻訳テーブルと，自電話網の加入者の電話番号により紛失電話番号情報の登録を判定する第2の翻訳テーブル備え，更に，
前記紛失携帯端末から呼が発生した際に，前記紛失携帯端末の加入する電話網の加入者情報管理サーバーを検索して，前記連絡先に前記呼を転送する
ことを特徴とする通信システムにおける携帯端末の所在確認サービスシステム。
【請求項３】
請求項１または２において，
前記第1及び第２の翻訳テーブルの紛失携帯端末情報の登録及び，転送先ルートの情報は，呼に含まれる電話番号の特番と対応付けされていることを特徴とする通信システムにおける携帯端末の所在確認サービスシステム。
【請求項４】
請求項3において，
前記紛失端末が元の所有者に戻った後は，再度の特番により前記第1及び第２の翻訳テーブルの紛失携帯端末情報の登録及び，転送先ルートの情報が解除されることを特徴とする通信システムにおける携帯端末の所在確認サービスシステム。
【発明の詳細な説明】
【技術分野】
【０００１】
本発明は，通信システムにおける携帯端末の所在確認サービスシステムに関する。特に，携帯端末網と固定電話網を管理する通信システムにおいて，携帯端末の紛失等に際し，携帯端末の所在確認を容易にする方法及びシステムに関する。
【背景技術】
【０００２】
近時，移動通信の普及に伴って，各人が携帯端末を所有する状況になっている。このような状況において，携帯端末を紛失，おき忘れ等の事故も増加している。かかる状況において，携帯端末を拾った側から落とし主への連絡が出来ず、おき忘れ場所に放置されたままになるか、警察などに届けられることはあるが落とし主に戻る確率は低い。
【０００３】
携帯端末の落とし主は契約電話会社に携帯紛失の旨を連絡し使用停止手続きを安易にとることが出来るが、結果的には新規に購入しなければならない場合が多い。一方で，このような状況から紛失携帯端末に格納された情報の保護・確保は保証されないという状態が生じる恐れがある。
【０００４】
かかる不都合に対する解決方法，手段として種々提案されている。
【０００５】
例えば，あらかじめ携帯端末に登録された連絡先を表示し，拾得した人による携帯端末の特殊操作で自動的に発信させるという発明(特許文献１)，他の電話装置から受信した自動着信命令に応じて自動着信を行い、この自動着信後に、他の電話装置から受信された暗証番号と、予め記憶された暗証番号とを入力し，一致したと判断された場合、自端末に登録された連絡先に向け発信する発明（特許文献２）が提示されている。この特許文献２に記載の発明では，携帯端末の電源が入ってないと別の電話からのリモート登録ができないものである。
【０００６】
さらに，別の発明として，あらかじめ携帯端末に登録してある連絡先にメールにより自動的に発信させる(特許文献３)。別端末から紛失携帯端末のロックをリモートで行う発明（特許文献４），あるいは，インターネットを利用した管理方法を用いる発明(特許文献５)等が提案されている。
【特許文献１】特開２００１−１０３１４９号公報
【特許文献２】特開２００１−１２７８８０号公報
【特許文献３】特開２０００−２８６９９５号公報
【特許文献４】特開平９−１８２１５８号公報
【特許文献５】特開２００１−３０９４３４号公報
【発明の開示】
【発明が解決しようとする課題】
【０００７】
しかし，上記の先に提示された従来の発明により，落とし主に連絡する技術が示されているが、携帯端末に特殊機能を付加することが必要となり，実質的に運用が困難と思われる。
【０００８】
したがって，本発明の目的は，携帯端末に特別の機能を付加することなく，容易に所有者に紛失携帯端末の所在を知らせることを可能とする，通信システムにおける携帯端末の所在確認サービスシステムを提供することにある。
【課題を解決するための手段】
【０００９】
かかる目的を達成する本発明に従う通信システムにおける携帯端末の所在確認サービスシステムは，第1の態様として，それぞれネットワーク管理装置と，加入者情報管理サーバーとを有する，複数の電話網間が接続された通信システムにおける携帯端末の所在確認サービスシステムにおいて，前記複数の電話網のネットワーク管理装置に，受信電話番号により転送先電話網を判定する第1の翻訳テーブルと，自電話網の加入者の電話番号により紛失電話番号情報の登録を判定する第2の翻訳テーブル備え，更に，紛失携帯端末の加入する電話網の加入者情報管理サーバーに前記第２の翻訳テーブルにより紛失電話番号情報の登録を判定された紛失携帯端末の電話番号に対応して連絡先が登録され，前記紛失携帯端末と異なる電話端末から前記紛失携帯端末宛に呼が発生した際に，前記紛失携帯端末の加入する電話網の加入者情報管理サーバーを検索して，前記連絡先に前記呼を転送することを特徴とする。
【００１０】
上記の目的を達成する本発明に従う通信システムにおける携帯端末の所在確認サービスシステムは，第２の態様として，それぞれネットワーク管理装置と，加入者情報管理サーバーとを有する，複数の電話網間が接続された通信システムにおける携帯端末の所在確認サービスシステムにおいて，前記複数の電話網のネットワーク管理装置に，受信電話番号により転送先電話網を判定する第1の翻訳テーブルと，自電話網の加入者の電話番号により紛失電話番号情報の登録を判定する第2の翻訳テーブル備え，更に，前記紛失携帯端末から呼が発生した際に，前記紛失携帯端末の加入する電話網の加入者情報管理サーバーを検索して，前記連絡先に前記呼を転送することを特徴とする。
【００１１】
さらに，上記の目的を達成する本発明に従う通信システムにおける携帯端末の所在確認サービスシステムは，第３の態様として，前記第1または第２の態様において，前記第1及び第２の翻訳テーブルの紛失携帯端末情報の登録及び，転送先ルートの情報は，呼に含まれる電話番号の特番と対応付けされていることを特徴とする。
【００１２】
また，上記の目的を達成する本発明に従う通信システムにおける携帯端末の所在確認サービスシステムは，第４の態様として，前記第３の態様において，前記紛失端末が元の所有者に戻った後は，再度の特番により前記第1及び第２の翻訳テーブルの紛失携帯端末情報の登録及び，転送先ルートの情報が解除されることを特徴とする。
【００１３】
本発明の特徴は，以下に図面に従い説明される発明を実施するための最良の形態から更に明らかになる。
【発明の効果】
【００１４】
本発明により，紛失携帯端末の状況に関係なく紛失登録処理が可能で、管理会社の異なるいかなる携帯端末でも適応可能である。連絡先には携帯端末からの着信であることが事前に分かる。紛失携帯端末の所有者への返還が容易となり，且つ他人による使用を回避し，登録されたデータの保護も確実になる。
【発明を実施するための最良の形態】
【００１５】
以下に図面に従い本発明の実施の形態例を説明する。なお，図に示される実施の形態例は，本発明の理解のためのものであり，本発明の技術的範囲がこれに限定されるものではない。
【００１６】
図１は，本発明を適用する通信システムの構成例である。図１において，複数の電話会社網１(Ｄ社)，２（Ａ社），３（Ｂ社）が相互にネットワーク接続されている。以下の説明において，例として電話会社網１は固定電話網，電話会社網２及び３は携帯電話網である。
【００１７】
そして，複数の電話会社網１，２，３のそれぞれには，ネットワーク管理装置１０，２０，３０と，加入者情報管理サーバー１１，２１，３１を有している。かかる通信システム構成は既存のものである。
【００１８】
図２は，ネットワーク管理装置１０，２０，３０に共通の構成例ブロック図であるが，D社電話会社網１のネットワーク管理装置１０を想定し，A社電話会社網２及びB社電話会社網３と通話路終端装置１０１ａ，１０１ｂにより接続される例を示している。
【００１９】
中心となる機能を有する装置は，メインメモリを有する制御装置１００であり，次の処理が行われる。
【００２０】
・信号送受信装置１０２により受信した回線からの信号を解析する処理（Ｓ１）
・信号の受信を契機に呼の管理を行う処理（Ｓ２）
・受信信号内の着側の電話番号の翻訳と通信制御装置１０３を制御してルーチングを行う処理（Ｓ３）
・信号送信処理（Ｓ４）
・信号リンク管理処理（Ｓ５）
・前記ルーチング処理に基づき通話路終端装置間のパスを接続制御する処理（Ｓ６）
通信制御装置１０３は，上記のパスを接続制御する処理（Ｓ６）に基づき，通話路終端装置１０１ａ，１０１ｂ，１０１ｃ間のパスを接続する。
【００２１】
信号送受信装置１０２は，通話路終端装置１０１ａ，１０１ｂ，１０１ｃを通して，回線からの信号の送受を制御する。また，プロトコルによってＩＳＤＮ用装置の場合や，ＰＢレシーバ受信装置の場合がある。通話路終端装置は他網(局)向け回線の終端装置で、制御装置１００のおける上記の信号リンク管理処理に基づき，信号リンクや通話パスを制御する。
【００２２】
図３は，上記図１の通信システムにおける，本発明に従い紛失携帯端末の所有者が連絡先を登録する処理を説明する第１の実施例の呼処理フローである。図１において，携帯端末２００はユーザＸの紛失した携帯端末，携帯端末３００は紛失した携帯端末２００を発見したユーザＹの携帯端末とする。また，ユーザＸは，Ａ社携帯電話網の契約者であるとする。
【００２３】
ユーザＸは，携帯端末２００を紛失したので，これを使用することができない。そこで，ユーザＸは，一例としてＤ電話会社の固定電話網１の契約端末２１０あるいは，別の携帯端末３００を使用して，次に説明する様な特定の発信電話番号(特番)を含む所定有効桁数(例えば，２２桁)の番号をダイヤルする。図１では，固定電話網１の契約端末２１０を使用する。
【００２４】
所定有効桁数のダイヤルされる番号は，図４に示すセットアップ（SETUP）メッセージに示すように「CALLEDパーティー（着信側）アドレス：特番ＡＡＡ／Aaa」と「CALLINGパーティ（発信側）サブアドレス：B1B2B3→B10B11C1------C11」（B1は紛失携帯電話番号，C1は連絡先電話番号）を有している。
【００２５】
かかるセットアップメッセージの情報に基づく処理の概略を説明すると，次のようである。
【００２６】
先ず，SETUPメッセージのCALLEDパーティーアドレスＡＡＡまたはＡａａの翻訳を後に説明する翻訳テーブルのデータを検索して行い、結果他電話会社の紛失登録と判断し中継処理を行う。
【００２７】
次いで，CALLINGパーティーサブアドレスをNNI BISDN IAMメッセージのCALLINGパーティサブアドレスに設定するために保持する。
さらに，中継処理においてこの保持された電話番号をＩＡＭ送信時にCALLINGパーティーサブアドレスに設定する。
【００２８】
このようなダイヤル番号に対する処理は，Ｄ電話会社網１におけるネットワーク管理装置１０の制御装置１００において，図３のフローに従って受信処理される。
【００２９】
図３において，先ず，信号送受信装置１０２により受信した回線からの信号を解析する処理（Ｓ１）において，発呼信号のメーセージの解析と着信電話番号を取り出しメモリに格納する。またはオフフックを契機に受信電話番号を格納する（Ｓ１−１）。
【００３０】
次いで，呼の管理を行う処理（Ｓ２）が行われる。この処理において，先ず，発呼信号のメーセージの呼番号(ＣＲ)毎に呼の状態を管理し，オフフック受信時より論理番号により呼の状態を管理する。さらに，受信電話番号を格納する（Ｓ２−１）。
【００３１】
さらに，加入者情報管理サーバー１１から発信側加入者情報を読み出し，サービスの許容・有無などチェックする（Ｓ２−２）。
【００３２】
この後，受信信号内の着側の電話番号の翻訳を行う（Ｓ３）。各ネットワーク管理装置１１，２１，３１には特番を受付ける処理と翻訳する処理が一般的に具備されており、そのためのツールとして，翻訳テーブルを有している。翻訳テーブルの一例が，図５Ａに示される。受信電話番号，翻訳結果，受信有効桁数が登録されている。
【００３３】
したがって，制御装置１００は，翻訳処理(Ｓ３)として，受信した着信電話番号で翻訳テーブルを検索し，出側のルートの取り出し，翻訳テーブルのデータ構成を参照する(Ｓ３−１)。
【００３４】
図５Ａにおいて，受信した電話番号xxxと同じ番号を翻訳処理として検索する。例えば，特番AAAは，A電話会社向けルート，特番BBBは，B電話会社向けルート，特番CCCは，C電話会社向けルートであると翻訳される。ただし自社のネットワーク管理装置には自網へのルート情報は設定しない。
【００３５】
尚，図５Ａにおいて，特番XXXは登録用特番，Xｘｘは，登録取り消し特番を意味している。
【００３６】
ここで，実施例として，着信電話番号中に「紛失用特番ＡＡＡ」があると，翻訳結果としてＡ電話会社向けのルートであることが判定される。したがって，図１に示すように，Ｄ電話会社１０は，Ａ電話会社網１方向の出側ルートに向け、信号の中継処理を行う。
【００３７】
一般的にルートに向けた対向網間には共通線信号リンクが設定されており、この信号リンクに向けてＩＡＭ(Initial Address Message)メッセージを送信する。ＩＡＭメッセージは，ＢＩＳＤＮの初期アドレスメッセージであり、発側のアドレスや受信した電話番号を設定する。
【００３８】
本実施例の場合，特番「ＡＡＡ」の翻訳結果のルート先の携帯端末管理会社であるA電話会社携帯電話網２に向け呼が中継される。尚，ＩＡＭメッセージの内容も先のセットアップメッセージと同様である。
ＩＡＭメッセージに基づく，Ａ電話会社網１のネットワーク管理装置２０の処理の概略を示すと，次のようである。
【００３９】
ＩＡＭメッセージのＣＡＬＬＥＤパーティーアドレスAAAまたはAaaの翻訳結果を後に示す翻訳テーブルのデータより紛失登録または取り消しと判断する。
次いで，登録時加入者データの紛失表示に有り，または取り消し時は無しの情報をＩＡＭメッセージのCALLINGパーティサブアドレスより取り出し保持する。
【００４０】
さらに，Ａ電話会社加入者情報管理サーバー２１へ，加入者データの変更依頼を要求する。このとき、先に保持した登録時加入者データの紛失表示に有り，または取り消しの情報を送信する。
【００４１】
上記処理をＡ電話会社網１のネットワーク管理装置２０の処理を更に説明する。
【００４２】
A電話会社携帯電話網２のネットワーク管理装置２０，B電話会社携帯電話網３のネッ  トワーク管理装置３０ともに，図２に示した構成を有している。したがって，D電話会  社網１から送信された信号の受信処理と，特番「ＡＡＡ」の翻訳処理を実施する。
【００４３】
図５Ｂは，A電話会社携帯電話網２のネットワーク管理装置２０における翻訳テーブルの例である。受信電話番号の特番「ＡＡＡ」からその翻訳結果として紛失携帯電話情報の登録であると認識し，紛失携帯端末２００の電話番号と連絡先を加入者情報管理サーバー２１に登録要求するデータを送信する。
【００４４】
加入者情報管理サーバー２１は，加入者情報毎の電話番号またはシリアル番号毎の情報データを要求毎に格納する。本発明に関連して，該当加入者データとして，図６に拡大して示す記憶装置に「端末の紛失表示：紛失登録あり・無し」，「登録連絡先：xxx-yyyy-zzzz」などを記録格納する。かかる情報の記録位置は，加入者電話番号等で検索可能である。このように，紛失携帯端末の登録が紛失者によって登録が可能である。
【００４５】
今，紛失携帯端末２００の登録が成されている状態で，これを拾得した者等により紛失携帯端末２００から発呼がある場合を想定する。図７は，この際の本発明に従う処理を説明する図であり，図８は対応するネットワーク管理装置２０における第２の呼処理フローである。
【００４６】
紛失携帯端末２００から発呼「１ａ」があると，携帯電話２００を管理するＡ社携帯電話網２のネットワーク管理装置２０は発呼信号のメーセージの解析と着信電話番号を取り出し格納し（ステップＳ１−１），発呼信号のメーセージの呼番号(ＣＲ)毎に呼の状態を管理する（ステップＳ２−１）。
【００４７】
次いで，加入者情報管理サーバー１１から発信側加入者情報を読み出し，分析を実施しサービスの有無などチェック実施する。さらに，先に紛失携帯端末の所有者により登録され，“紛失情報あり”の場合、連絡先電話番号を一時保持し、後に説明するガイダンスＡの接続準備処理を実施し，呼の状態に紛失サービス表示を設定する（ステップＳ２−２）。
【００４８】
連絡先電話番号で検索し，出側のルートを取出し，ルート先に向け発呼信号送信する（ステップＳ３−１）。
【００４９】
この，発呼信号に対して，発側への呼び出し音送信中と着側を呼び出し中の処理後、着側が応答した場合に補足していた固定パスに接続し、着側信号装置から着側応答のメッセージがあると，先に準備されたガイダンスＡ，例えば『こちらは電話会社QQQです。紛失端末xxx-yyyy-zzzzからの着信です』という内容のメッセージを送信する。
【００５０】
これにより，上記ガイダンスAを送信後、紛失携帯端末２００の所有者は，通話を開始し，紛失した携帯端末２００の状態を認識することができる。
【００５１】
さらに，図７において，第三者の端末３００から紛失携帯端末２００に対し，発呼１ｂが発生した場合を想定する。図９は，これに対応するＢ社携帯電話網３のネットワーク管理装置３０の第３の呼処理フローである。
【００５２】
Ｂ社携帯電話網３のネットワーク管理装置３０により，通常の携帯電話の発信処理を行う。Ｂ社携帯電話網３からの転送をＩＡＭメッセージとして受けると，ネットワーク管理装置２０において，信号受信処理として，発呼信号のメーセージ解析を実施し，着信電話番号を取り出し格納する（ステップＳ１−１）。次いで，この管理処理として発呼信号のメーセージ毎に論理呼番号により呼の状態を管理し（ステップＳ２−１），着信側電話番号より着側加入者情報を読み出す。そして，加入者情報管理サーバー３１を参照して，サービスの有無などをチェックし，“紛失情報あり”の場合、連絡先電話番号を一時保持し、後に説明するガイダンスBの接続準備処理を実施し，呼の状態に紛失サービス表示を設定する（ステップＳ２−２）。
【００５３】
次いで，翻訳処理が行われ，連絡先電話番号で翻訳テーブルを検索し，出側のルート取出し，ルート先に向け発呼信号送信する（ステップＳ３−１）。Ｂ社携帯電話網３のネットワーク管理装置３０による通常の携帯電話の発信であるので，紛失携帯端末２００の属するＡ携帯電話網２に転送する。
【００５４】
（１）  この際，紛失携帯端末２００のネットワーク管理装置２０は，着信情報の分析処理により，加入者情報管理サーバー２１から読み出した加入者情報を確認し，“紛失情報あり”の場合、連絡先番号を取り出す処理を提供し、翻訳し，Ｄ電話会社固定電話網１に着信させる。
【００５５】
通常の呼接続処理と同時に着側に次のような先に準備したガイダンスＢの内容『こちらは電話会社QQQです。紛失端末xxx-yyyy-zzzzへの電話を転送します』を接続する。
【００５６】
すなわち，通常呼処接続で発側呼への呼び出し音の送信中と，落とし主の登録した電話端末４００を呼び出し中の処理後、着側の電話端末４００が応答した場合に捕捉していた上記ガイダンスＢを送信する。したがって，第三者は落とし主を通して，紛失した携帯端末の状態を認識することができる。
【００５７】
さらに，上記に実施の形態例において，前記の構成により，紛失した携帯端末の状態を認識し，これに対し，元の所有者の要求によりに携帯端末が戻された後は，図５Ｂに示すように，再度の特番，例えば『Ａａａ』により前記図５Ａ及び図５Ｂの翻訳テーブルにおける転送先ルートの情報及び，紛失携帯端末情報の登録が解除される。
【産業上の利用可能性】
【００５８】
上記の通り，本発明により，紛失携帯端末が本来の所有者に的確に戻る状況を作り出すことが容易に可能であり，携帯端末に登録された情報の確保ができる。二次効果として紛失携帯端末の処理や廃却処理が減ることにより，環境保護につながる。
【図面の簡単な説明】
【００５９】
【図１】本発明を適用する通信システムの構成例である。
【図２】ネットワーク管理装置１０，２０，３０に共通の構成例ブロック図である。
【図３】上記図１の通信システムにおける，本発明に従い紛失携帯端末の所有者が連絡先を登録する処理を説明する第１の実施例の呼処理フローである。
【図４】セットアップ（SETUP）メッセージの例を示す図である。
【図５Ａ】Ｄ電話会社携帯電話網１のネットワーク管理装置１０における翻訳テーブルの例である。
【図５Ｂ】A電話会社携帯電話網２のネットワーク管理装置２０における翻訳テーブルの例である。
【図６】拡大して示す記憶装置の登録データの内容である。
【図７】紛失携帯端末２００から発呼がある場合のネットワーク管理装置２０における第２の呼処理フローである。
【図８】ネットワーク管理装置における第２の呼処理フローである。
【図９】ネットワーク管理装置における第３の呼処理フローである。
【符号の説明】
【００６０】
１  固定電話網
２，３携帯電話網
２００，３００  携帯端末
４００  固定電話端末
１０，２０，３０  ネットワーク管理装置
１１，２１，３１  加入者情報管理サーバー
１００  制御装置
１０１  通話路終端装置
１０２  信号送受信装置
【図１】
2006074437.tif 000003
【図２】
2006074437.tif 000004
【図３】
2006074437.tif 000005
【図４】
2006074437.tif 000006
【図５Ａ】
2006074437.tif 000007
【図５Ｂ】
2006074437.tif 000008
【図６】
2006074437.tif 000009
【図７】
2006074437.tif 000010
【図８】
2006074437.tif 000011
【図９】
2006074437.tif 000012